(57)【要約】【課題】折り皺や挟み跡の発生を抑制すると共に、防虫、防湿効果を有し、洋服同様に、着物をハンガーパイプに吊り下げて保管することができる着物収納保管具を提供する。【解決手段】袖部を身頃上部に重ね合わせるようにして縦長状に折り畳み形成した着物１を沿設させながら折り返して巻着し該着物１を一定状態に保形する保形体２と、この保形体２に巻着した着物１を収納する収納袋体３と、この収納袋体３を吊設するための掛止体４とから成り、保形体２は、縦長状に形成した本体部５の上端部に上部折り返し部６、下端部に下部折り返し部７を設けた構成とし、収納袋体３は、ガスバリア性を有する合成樹脂フィルムから成る構成とし、掛止体４は、収納袋体３の一側短辺部に付設する芯材８と、クリップ部９を有するハンガー部10とから成る構成とした着物収納保管具。【選択図】図１
0003201184.tif 000002
【実用新案登録請求の範囲】
【請求項１】
袖部を身頃上部に重ね合わせるようにして縦長状に折り畳み形成した着物を沿設させながら折り返して巻着し該着物を一定状態に保形する保形体と、この保形体に巻着した前記着物を収納する収納袋体と、この収納袋体を吊設するための掛止体とから成る着物収納保管具であって、前記保形体は、縦長状に形成した本体部の上端部に上部折り返し部、下端部に下部折り返し部を設けた構成とし、前記収納袋体は、ガスバリア性を有する合成樹脂フィルムから成る構成とし、前記掛止体は、前記収納袋体の一側短辺部に付設する芯材と、クリップ部を有するハンガー部とから成る構成として、縦長状に折り畳み形成した前記着物を前記保形体に沿設させながら折り返して巻着し、この保形体に巻着した前記着物を前記収納袋体に収納すると共に、前記収納袋体の一側短辺部に前記芯材を付設し、この芯材と共に前記収納袋体の前記一側短辺部を前記クリップ部で挟掴して前記掛止体を前記収納袋体に付設し、この掛止体の前記ハンガー部を掛止して前記着物を収納した収納袋体を縦長状態にして吊り下げ保管し得るように構成したことを特徴とする着物収納保管具。
【請求項２】
前記収納袋体は、アルミナ蒸着処理が施された構成としたことを特徴とする請求項１記載の着物収納保管具。
【請求項３】
前記収納袋体は、全面に紫外線遮断剤を塗工した外層フィルムと、全面にアルミナを蒸着した中間層フィルムと、全面に抗菌剤を塗工した内層フィルムとの三種類の透明フィルムを重合接着して形成した合成樹脂フィルムからなる構成としたことを特徴とする請求項１，２のいずれか１項に記載の着物収納保管具。
【請求項４】
前記クリップ部は、前記芯材を包み込むように収納する芯材収納空間部を有する構成としたことを特徴とする請求項１〜３のいずれか１項に記載の着物収納保管具。
【請求項５】
前記保形体は、前記本体部の上端部に上方に凸となる湾曲面を有する前記上部折り返し部を設け、下端部に下方に凸となる湾曲面を有する前記下部折り返し部を設けると共に、前記本体部の前記着物を沿設させる着物沿設面に前記着物の下端部をそのまま挿通し得る開口部を設けて、前記着物の身頃上部が前記上部折り返し部の前記湾曲面に沿設しながら下方に向かって折り返され、前記着物の身頃途中部が前記下部折り返し部の前記湾曲面に沿設しながら上方に向かって折り返され、前記着物の身頃下部が前記開口部に挿通されると共に下方に向かって折り返された状態で配されるようにして巻着される構成としたことを特徴とする請求項１〜４のいずれか１項に記載の着物収納保管具。
【請求項６】
前記保形体は、前記開口部の下側開口縁部に上方に凸となる湾曲面を有する折り返し部を設けて、この折り返し部の前記湾曲面に沿設しながら前記着物１の下部が下方に向かって折り返される構成としたことを特徴とする請求項５記載の着物収納保管具。
【請求項７】
前記保形体は、前記本体部を対向する二枚の板状部材から成る構成とし、この二枚の板状部材の上端部間に上方に凸となる湾曲状に形成した板状部材を架設して前記上部折り返し部を形成し、前記板状部材の下端部間に下方に凸となる湾曲状に形成した板状部材を架設して前記下部折り返し部を形成すると共に、前記二枚の板状部材のいずれか一方の板状部材の板面に前記開口部を設けて、側面視縦方向に細長い環形状に形成した構成、若しくは前記本体部を縦長方形状の板状部材を曲成して側面視縦方向に細長いＣ形状に形成して、前記板状部材の対向する両端部間に形成された隙間を前記開口部とした構成としたことを特徴とする請求項５，６のいずれか１項に記載の着物収納保管具。
【考案の詳細な説明】
【技術分野】
【０００１】
本考案は、着物、襦袢、浴衣などの和服を吊り下げ状態で長期間保管するのに適した着物収納保管具に関するものである。
【背景技術】
【０００２】
従来、着物を保管する場合、長方形状にきれいに折り畳み、たとう紙で包み、防虫効果の高い桐箪笥に収納するのが一般的であったが、この桐箪笥は高価であることや、設置スペースの問題などから使用者が減少し、近年は、洋服同様、着物用ハンガーに掛けてクローゼットに収納する人が増えてきている。このような背景のもと、様々な着物用ハンガー（例えば特許文献１〜４）が提案されている。
【先行技術文献】
【特許文献】
【０００３】
【特許文献１】特開２０１４−１０４０７２号公報
【特許文献２】特開２００６−１０２４８４号公報
【特許文献３】特開２００５−０４０５７４号公報
【特許文献４】特開平１０−１６５２８５号公報
【考案の概要】
【考案が解決しようとする課題】
【０００４】
しかしながら、上記のような和服用ハンガーを用いた場合、どうしてもハンガーに掛け回した際の折り返し皺や、滑り落ちを防止するためのクリップの挟み跡が生じてしまうため、着用時にはこの折り返し皺や挟み跡を取るための作業（例えば、着物を広げた状態でハンガーに吊るしてしばらく放置するなど）をしなければならず、直ぐに着用することができなかった。
【０００５】
さらに、防虫、防湿対策も不十分となり、従来の桐箪笥に収納する場合に比べて、保管状態が悪化する場合が多い。
【０００６】
本考案は、上述したような現状に鑑みなされたもので、洋服同様、ハンガーパイプ等の掛け止め部材に吊り下げた状態で保管することができ、長期間保管しても折り皺や挟み跡が生じず、しかも、桐箪笥保管のように、防虫、防湿効果をも有する実用性に優れた画期的な着物収納保管具を提供することを目的とする。
【課題を解決するための手段】
【０００７】
添付図面を参照して本考案の要旨を説明する。
【０００８】
袖部を身頃上部に重ね合わせるようにして縦長状に折り畳み形成した着物１を沿設させながら折り返して巻着し該着物１を一定状態に保形する保形体２と、この保形体２に巻着した前記着物１を収納する収納袋体３と、この収納袋体３を吊設するための掛止体４とから成る着物収納保管具であって、前記保形体２は、縦長状に形成した本体部５の上端部に上部折り返し部６、下端部に下部折り返し部７を設けた構成とし、前記収納袋体３は、ガスバリア性を有する合成樹脂フィルムから成る構成とし、前記掛止体４は、前記収納袋体３の一側短辺部に付設する芯材８と、クリップ部９を有するハンガー部10とから成る構成として、縦長状に折り畳み形成した前記着物１を前記保形体２に沿設させながら折り返して巻着し、この保形体２に巻着した前記着物１を前記収納袋体３に収納すると共に、前記収納袋体３の一側短辺部に前記芯材８を付設し、この芯材８と共に前記収納袋体３の前記一側短辺部を前記クリップ部９で挟掴して前記掛止体４を前記収納袋体３に付設し、この掛止体４の前記ハンガー部10を掛止して前記着物１を収納した収納袋体３を縦長状態にして吊り下げ保管し得るように構成したことを特徴とする着物収納保管具に係るものである。
【０００９】
また、前記収納袋体３は、アルミナ蒸着処理が施された構成としたことを特徴とする請求項１記載の着物収納保管具に係るものである。
【００１０】
また、前記収納袋体３は、全面に紫外線遮断剤を塗工した外層フィルムと、全面にアルミナを蒸着した中間層フィルムと、全面に抗菌剤を塗工した内層フィルムとの三種類の透明フィルムを重合接着して形成した合成樹脂フィルムからなる構成としたことを特徴とする請求項１，２のいずれか１項に記載の着物収納保管具に係るものである。
【００１１】
また、前記クリップ部９は、前記芯材８を包み込むように収納する芯材収納空間部25を有する構成としたことを特徴とする請求項１〜３のいずれか１項に記載の着物収納保管具に係るものである。
【００１２】
また、前記保形体２は、前記本体部５の上端部に上方に凸となる湾曲面を有する前記上部折り返し部６を設け、下端部に下方に凸となる湾曲面を有する前記下部折り返し部７を設けると共に、前記本体部５の前記着物１を沿設させる着物沿設面11に前記着物１の下端部をそのまま挿通し得る開口部12を設けて、前記着物１の身頃上部が前記上部折り返し部６の前記湾曲面に沿設しながら下方に向かって折り返され、前記着物１の身頃途中部が前記下部折り返し部７の前記湾曲面に沿設しながら上方に向かって折り返され、前記着物１の身頃下部が前記開口部12に挿通されると共に下方に向かって折り返された状態で配されるようにして巻着される構成としたことを特徴とする請求項１〜４のいずれか１項に記載の着物収納保管具に係るものである。
【００１３】
また、前記保形体２は、前記開口部12の下側開口縁部に上方に凸となる湾曲面を有する折り返し部13を設けて、この折り返し部13の前記湾曲面に沿設しながら前記着物１の下部が下方に向かって折り返される構成としたことを特徴とする請求項５記載の着物収納保管具に係るものである。
【００１４】
また、前記保形体２は、前記本体部５を対向する二枚の板状部材から成る構成とし、この二枚の板状部材の上端部間に上方に凸となる湾曲状に形成した板状部材を架設して前記上部折り返し部６を形成し、前記板状部材の下端部間に下方に凸となる湾曲状に形成した板状部材を架設して前記下部折り返し部７を形成すると共に、前記二枚の板状部材のいずれか一方の板状部材の板面に前記開口部12を設けて、側面視縦方向に細長い環形状に形成した構成、若しくは前記本体部５を縦長方形状の板状部材を曲成して側面視縦方向に細長いＣ形状に形成して、前記板状部材の対向する両端部間に形成された隙間を前記開口部12とした構成としたことを特徴とする請求項５，６のいずれか１項に記載の着物収納保管具に係るものである。
【考案の効果】
【００１５】
本考案は上述のように構成したから、洋服同様、ハンガーパイプ等の掛け止め部材に吊り下げた状態で着物を保管することができると共に、密閉性に優れた収納袋体内に収納することで、桐箪笥保管のように防虫、防湿効果を発揮し、しかも、保形体に着物を巻着することで、折り返し皺や挟み跡を生じさせることなくきれいな折り畳み状態が保持され、長期保管中に折り畳み状態が崩れたことによって生ずる寄り皺や、折り返し皺、挟み跡が生じにくく、よって、着用時に、前記寄り皺、折り返し皺及び挟み跡を取るための処理を要せず、直ぐに着用することができる実用性に優れた画期的な着物収納保管具となる。
【図面の簡単な説明】
【００１６】
【図１】本実施例を示す説明側断面図である。
【図２】本実施例の保形体を示す側断面図である。
【図３】本実施例の第一保形体形成板紙と第二保形体形成板紙とを示す平面図である。
【図４】本実施例の掛止体を示す説明斜視図である。
【図５】本実施例の着物の折り畳み方を示す図である。
【図６】本実施例を用いて着物を収納する際の着物収納作業手順説明図である。
【図７】本実施例を用いて着物を収納する際の着物収納作業手順説明図である。
【図８】本実施例を用いて着物を収納する際の着物収納作業手順説明図である。
【図９】本実施例を用いて着物を収納する際の着物収納作業手順説明図である。
【図１０】本実施例を用いて着物を収納する際の着物収納作業手順説明図である。
【図１１】本実施例を用いて着物を収納する際の着物収納作業手順説明図である。
【図１２】本実施例の着物を保形体に巻着した状態を示す側断面図である。
【図１３】本実施例を用いて着物を収納する際の着物収納作業手順説明図である。
【図１４】本実施例を用いて着物を収納する際の着物収納作業手順説明図である。
【図１５】本実施例の使用状態を示す説明斜視図である。
【考案を実施するための形態】
【００１７】
好適と考える本考案の実施形態を、図面に基づいて本考案の作用を示して簡単に説明する。
【００１８】
本考案は、収納袋体３に着物１を収納する際、着物１を、袖部を身頃上部に重ね合わせるようにして縦長状に折り畳み形成し、この縦長状に折り畳み形成した着物１を保形体２の本体部５の上端部に設けた上部折り返し部６に沿設させながら下方に向けて折り返して本体部５の着物沿設面11に沿設させ、その下側に位置する下部折り返し部７に沿設させながら上方に向けて折り返して、着物１を保形体２に対してぐるりと一周するように巻着する。このように着物１を保形体２に巻着して一定状態に保形することにより、着物１を収納した収納袋体３を縦長状態にして吊り下げても、着物１が下方側に寄って折り畳み形状が崩れて皺ができるといった不具合が生じず、しかも、上部折り返し部６及び下部折り返し部７に沿設させながら折り返すことで折り返し皺が生じにくくなるので、着用時に折り皺を取るための手間と時間が省け、直ぐに着物１を着用することができる。
【００１９】
また、本考案は、この保形体２に巻着し保形された着物１を収納する収納袋体３をガスバリア性を有する合成樹脂フィルムから成る構成としたから、密閉性に優れた収納袋体３となり、長期保管中の防湿効果に優れ、収納した着物１にカビなどが生じず、良好な状態で保管することができる。
【００２０】
また更に、本考案は、収納袋体３を吊り下げるための掛止体４を、収納袋体３の一側短辺部に付設する芯材８と、クリップ部９を有するハンガー部10とから成る構成とし、この芯材８を収納袋体３の一側短辺部に付設し、この収納袋体３の一側短辺部に付設した芯材８を包み込むようにしてクリップ部９で前記収納袋体３の一側短辺部を挟掴して掛止体４（ハンガー部10）を収納袋体３に取り付ける構成としたから、芯材８が抜け止め部材となって収納袋体３がクリップ部９から抜け落ちる（滑り落ちる）ことを防止し、保管中に着物１を収納した収納袋体３がハンガー部10から離脱して落下してしまう心配が無く、良好な吊り下げ保管状態を保持することができる。
【００２１】
このように、本考案は、着物１を洋服同様、ハンガーパイプ等の掛け止め部材24に吊り下げた状態で保管することができ、しかも、保管中の寄り皺、折り皺、挟み跡が殆ど生じず、更に、防湿、防虫効果に優れた長期間の保管に適した実用性に優れた画期的な着物収納保管具となる。
【００２２】
尚、本考案における着物１とは、振袖や留袖等の一般的に着物と言われるものに限らず、襦袢や浴衣、着物用コート等の和服全般を意味する。
【実施例】
【００２３】
本考案の具体的な実施例について図面に基づいて説明する。
【００２４】
本実施例は、袖部を身頃上部に重ね合わせるようにして縦長状に折り畳み形成した着物１を沿設させながら折り返して巻着し該着物１を一定状態に保形する保形体２と、この保形体２に巻着した前記着物１を収納する長方形状の収納袋体３と、この収納袋体３を吊設するための掛止体４とから成り、図示するように、着物１を保形体２に沿設させながら折り返して巻着し、この保形体２に巻着した着物１を収納袋体３に収納し、収納袋体３の長手方向一端部に設けた掛止体４をハンガーパイプ等の掛け止め部材24に掛止して収納袋体３を縦長状態に吊り下げて、洋服同様、吊り下げ状態で着物１を長期間保管し得るように構成した着物収納保管具に係るものである。
【００２５】
以下、本実施例に係る構成各部について詳細に説明する。
【００２６】
本実施例の保形体２は、縦長状に形成した本体部５の上端部に上部折り返し部６、下端部に下部折り返し部７を設けた構成としている。
【００２７】
具体的には、縦長状に形成した本体部５の上端部に上方に凸となる湾曲面を有する上部折り返し部６を設け、下端部に下方に凸となる湾曲面を有する下部折り返し部７を設けると共に、本体部５の着物１を沿設させる着物沿設面11に着物１の下端部をそのまま挿通し得る開口部12を設けた構成としている。
【００２８】
より具体的には、本実施例の保形体２は、図示するように、本体部５を対向する二枚の板状部材から成る構成とし、この二枚の板状部材の上端部間に上方に凸となる湾曲状に形成した板状部材を架設して上部折り返し部６を形成し、板状部材の下端部間に下方に凸となる湾曲状に形成した板状部材を架設して下部折り返し部７を形成すると共に、この二枚の板状部材のいずれか一方の板状部材の板面（着物沿設面11）に一若しくは複数の開口部12を設けて、側面視縦方向に細長い環形状に形成した構成としている。
【００２９】
更に詳細に説明すると、本実施例の着物収納保管具は、この保形体２を板紙で形成した構成とし、図示するように、保形体２の上部側を第一保形体形成板紙14と第二保形体形成板紙15との二枚の板紙を連設して組み立て形成する構成としている。
【００３０】
具体的には、第一保形体形成板紙14と第二保形体形成板紙15とを互いに端部同士を連設して側面視縦方向に細長い環形状に形成した構成とし、第一保形体形成板紙14は、長手方向中央部付近に上部折り返し部６を形成するための複数の折り目部16を設け、この折り目部16に従って凸湾曲面を形成するように折曲することで凸湾曲状の上部折り返し部６が形成されるように構成している。
【００３１】
また、第二保形体形成板紙15も長手方向途中部に下部折り返し部７を形成するための複数の折り目部17を設け、この折り目部17に従って凸湾曲面を形成するように折曲することで凸湾曲状の下部折り返し部７が形成されるように構成している。
【００３２】
また更に、この第二保形体形成板紙15は、更に開口部12を形成するための折り返し片部18を設けた構成とし、この折り返し片部18は複数の折り目部19を設けた構成とし、この折り目部19に従って凸湾曲面を形成するように折曲することで、板面に開口部12を形成すると共に、この開口部12の下側開口縁部に凸湾曲状の折り返し部10が形成されるように構成している。
【００３３】
具体的には、本実施例の第二保形体形成板紙15は、折り返し片部18を二か所に設けて、保形体２に形成し使用状態の縦長状態にした際、上下方向に開口部12が並設する構成とし、使用時に、着物１の丈の長さによって、上側、下側のいずれかの開口部12を使用し得るように構成している。
【００３４】
尚、保形体２は上述の構成に限定するものではなく、例えば第一保形体形成板紙14、第二保形体形成板紙15が予め連結した一枚の板紙から成る構成としても良く、また、例えば縦長方形状の板状部材を曲成して側面視縦方向に細長いＣ形状に形成して、板状部材の対向する両端部間に形成された隙間を開口部12とした構成としても良い。また更に、保形体２の素材も合成樹脂製として予め所定形状（側面視縦方向に細長い環形状又は側面視縦方向に細長いＣ形状）に形成した構成としても良い。
【００３５】
また、本実施例の収納袋体３は、アルミナ蒸着処理を施したガスバリア性を有する合成樹脂フィルムから成り、保形体２よりやや大きめの平面視長方形状に形成し、一側長辺部に着物１を巻着した保形体２を出し入れする開口部を開閉自在に設けた構成としている。
【００３６】
より具体的には、本実施例の収納袋体３は、全面に紫外線遮断剤を塗工した外層フィルムと、全面にアルミナを蒸着した中間層フィルムと、全面に抗菌剤を塗工した内層フィルムとの三種類の透明フィルムを重合接着して形成した合成樹脂フィルムから成る構成とすると共に、図示するように、少なくとも一側面に透明な覗き窓部20を設けて、この覗き窓部20から収納袋体３内に収納した着物１を視認し得る構成としている。
【００３７】
また、本実施例の掛止体４は、図示するように、収納袋体３の一側短辺部に付設する芯材８と、クリップ部９を有するハンガー部10とから成る構成としている。
【００３８】
具体的には、クリップ部９は、芯材８を包み込むように収納する芯材収納空間部25を有する構成として、芯材８を付設した収納袋体３の一側短辺部を、芯材８と共にクリップ部９で挟掴し、収納袋体３に付設する構成としている。
【００３９】
即ち、本実施例の掛止体４は、クリップ部９を、先端部を内方に折曲形成した所謂鰐口クリップタイプに形成した構成として、このクリップ部９の先端部同士が線で当接し合うように構成し、この鰐口クリップタイプに構成したクリップ部９で芯材８を包み込むようにして収納袋体３の一側短辺部を挟掴すると、芯材８がクリップ部９の芯材収納空間部25内に収納配設して、この芯材８の下側の収納袋体３を先端部が挟掴し、収納袋体３を吊り下げた際、仮に着物１の重みでクリップ部９から収納袋体３が下方へ滑り落ちそうになっても、芯材８が抜け止め部材となってクリップ部９がこの芯材８に係止して、この収納袋体３がクリップ部９から滑り落ちることを防止するように構成している。
【００４０】
尚、本実施例では、収納袋体３を開口部から内側に挿入し、収納袋体３の内側からこの芯材８を一側短辺部に沿設し、この一側短辺部に沿設した芯材８を収納袋体３ごと外側から包み込むようにしてクリップ部９で収納袋体３の一側短辺部を挟掴する構成としたが、例えば収納袋体３の一側短辺部に芯材８を収納する芯材収納部を別途形成した構成としたり、予め収納袋体３の一側短辺部に沿って凸状段差部を一体成形した構成としても良い。
【００４１】
次に、上述のように構成した本実施例の着物収納保管具を用いて着物１を収納する場合の手順について説明する。尚、以下に示す収納手順は一例であり、本実施例の着物収納保管具の収納手順は以下の記載に限定されるものでない。
【００４２】
まず、図示するように、着物１を本だたみし（襦袢、コートの場合は襦袢だたみする）、両袖部を身頃上部の上側に重ね合わせて、縦長状（帯状）にする。
【００４３】
次に、この縦長状に形成した着物１を保形体２に巻着する。具体的には、図示するように、先ず、第一保形体形成板紙14と第二保形体形成板紙15との一側短辺部同士を連結して縦長状に展開したシート状の保形体２を形成すると共に第一保形体形成板紙14を折り目部16に従って折曲して上部折り返し部６を形成し、更に、第二保形体形成板紙15に設けた折り返し片部18のいずれか一方若しくは双方を折り目部19に従って折曲して折り返し、開口部12と折り返し部13とを形成し、この上部折り返し部６と開口部12と折り返し部13とを形成したシート状の保形体２を、上部折り返し部６が縦長状に形成した着物１の袖側（上部側）に位置するようにして着物１上に載置する。
【００４４】
次に、着物１の下端部を開口部12に挿通し、折り返し部13に沿設させながら折り返して着物１の下部側を保形体２上（第二保形体形成板紙15上）に重ね、この着物１の下部側を重ねた第二保形体形成板紙15を、折り目部17に従って折曲して着物１と共に折り返し、この第二保形体形成板紙15に設けた差込み部22を第一保形体形成板紙14に設けた差込み片部21と係合させ、下部折り返し部７を形成して保形体２を完成させる。
【００４５】
最後に、着物１の上部側（袖部と身頃上部）折り返して巻着作業完了となり、図示するように、折り畳んだ着物１の上部側（身頃上部側）が上部折り返し部６の湾曲面に沿設しながら下方（下部折り返し部７側）に向かって折り返され、その先（着物１の身頃途中部）が着物沿設面11に沿設すると共に下部折り返し部７の湾曲面に沿設しながら上方に向かって折り返され、着物１の下部側（身頃下部）が開口部12に挿通されると共に下方に向かって折り返された状態で配されるようにして巻着される。
【００４６】
尚、この着物１を保形体２に巻着する巻着作業手順に関しては、上記の手順に限定されるものではなく、例えば予め保形体２をループ状に形成した状態にしてから着物１を巻着しても良く、また、保形体２の作成順（上部折り返し部６、下部折り返し部７、開口部12及び折り返し部13の形成手順）を適宜変更しても良い。
【００４７】
次に、この保形体２に巻着した着物１を収納袋体３内に収納すると共に、収納袋体３に掛止体４を取り付ける。
【００４８】
具体的には、先ず、収納袋体３の開口部を開口し、保形体２に巻着した着物１を収納袋体３内に収納する。この際、着物１の上部側（袖部）を巻着した保形体２の上部折り返し部６側が掛止体４を取り付ける側になるようにして収納する。
【００４９】
次に、収納袋体３内にシート状に形成した除湿剤23を収納すると共に、収納袋体３に掛止体４を取り付ける。
【００５０】
具体的には、芯材８を収納した着物１の上部側が位置する側の一側短辺部に沿設させるようにして収納袋体３内に配設し、この収納袋体３内に配設した芯材８を包み込むようにしてハンガー部10に設けたクリップ部９でこの収納袋体３の前記一側短辺部を挟掴して、この収納袋体３に掛止体４（ハンガー部10）を取り付ける。
【００５１】
次に、収納袋体３内の空気を抜きながら、この収納袋体３の開口部を閉口する。
【００５２】
そして、この着物１を収納した収納袋体３に取り付けた掛止体４のハンガー部10をクローゼットやハンガーラック等のハンガーパイプ24に掛止し、この収納袋体３を吊り下げて一連の収納作業が終了となる。尚、本実施例では、着物１を収納袋体３に収納した後、収納袋体３に掛止体４を取り付ける手順としたが、予め収納袋体３に掛止体４を取り付けておき、この掛止体４を取り付けた収納袋体３内に着物１を収納する手順としても良い。
【００５３】
次に、本実施例の作用・効果について以下に説明する。
【００５４】
本実施例は、着物１を巻着する保形体２の着物１を折り返す箇所である本体部５の上端部に設けた上部折り返し部６及び下端部に設けた下部折り返し部７、並びにこの本体部５の着物沿設面11に設けた開口部12の下側開口縁部に設けた折り返し部10を夫々凸湾曲状に形成し、この湾曲面に沿設しながら折り返して巻着する構成としたから、着物１に折り返しの折り目がつかない。
【００５５】
更に、本実施例は、縦長状の保形体２に対して着物１をぐるりと一周するように巻着し、更に着物１の下端部を開口部12に挿通し下方側に折り返して垂下するように巻着する構成としたから、着物１を巻着した保形体２を縦長状に配しても（起立状態にしても）、保形体２に巻着した着物１がずり落ちず良好な巻着状態が保持される。
【００５６】
また、本実施例は、収納袋体３を、全面に紫外線遮断剤を塗工した外層フィルムと、全面にアルミナを蒸着した中間層フィルムと、全面に抗菌剤を塗工した内層フィルムとの三種類の透明フィルムを重合接着して形成した合成樹脂フィルムから成る構成としたから、紫外線透過を抑制して紫外線による劣化を防止し、優れたガスバリア性を発揮し外部からの水分の侵入を防止し、更に、害虫の発生も抑制する長期保管性に優れたものとなる。
【００５７】
また、本実施例は、収納袋体３を吊り下げるための掛止体４を芯材８と、クリップ部９を有するハンガー部10とから成る構成とし、収納袋体３の一側端部にこの芯材８を沿設状態に配設し、この芯材８をクリップ部９の芯材収納空間部25で包み込むようにして芯材８の下側の収納袋体３をこのクリップ部９の先端部で挟掴して収納袋体３を吊持するように構成したから、収納袋体３を吊り下げた際（吊持した際）、クリップ部９が芯材８に係止して、この芯材８が抜け止め部材となって収納袋体３がクリップ部９から滑り落ちることを防止し、安定した吊り下げ状態（吊持状態）で保管することができる。
【００５８】
尚、本考案は、本実施例に限られるものではなく、各構成要件の具体的構成は適宜設計し得るものである。
【符号の説明】
【００５９】
１  着物
２  保形体
３  収納袋体
４  掛止体
５  本体部
６  上部折り返し部
７  下部折り返し部
８  芯材
９  クリップ部
10  ハンガー部
11  着物沿設面
12  開口部
13  折り返し部
【図１】
0003201184.tif 000003
【図２】
0003201184.tif 000004
【図３】
0003201184.tif 000005
【図４】
0003201184.tif 000006
【図５】
0003201184.tif 000007
【図６】
0003201184.tif 000008
【図７】
0003201184.tif 000009
【図８】
0003201184.tif 000010
【図９】
0003201184.tif 000011
【図１０】
0003201184.tif 000012
【図１１】
0003201184.tif 000013
【図１２】
0003201184.tif 000014
【図１３】
0003201184.tif 000015
【図１４】
0003201184.tif 000016
【図１５】
0003201184.tif 000017